(57)【要約】【課題】市販されているレンズメータは強度のプリズム付きレンズの度数測定に対応しておらず、特に累進屈折力レンズの加入屈折力測定が不可能な場合がある。このため、市販のレンズメータでも強度のプリズム付きレンズの度数測定が可能となる安価な装置を提供する。【解決手段】レンズメータのレンズ当てにプリズムを組み込むことにより、レンズのプリズムを相殺する。【選択図】　　図１
2004117164.tif 000002
【特許請求の範囲】
【請求項１】
レンズメータのレンズ当て内にプリズムを組み込んだことを特徴とするプリズム付きレンズ当て。
【請求項２】
請求項１記載のプリズム付きレンズ当てにおいて、レンズ当て内のプリズムはレンズ当ての開口部上端から突出しないように設置されたことを特徴とするプリズム付きレンズ当て。
【請求項３】
請求項１または２記載のプリズム付きレンズ当てにおいて、レンズ当て内のプリズムは５ｃｍ／ｍ以上２０ｃｍ／ｍ以下のプリズム屈折力を有することを特徴とするプリズム付きレンズ当て。
【請求項４】
請求項１ないし３のいずれかに記載のプリズム付きレンズ当てにおいて、アッベ数４０以下の光学材料を用いたプリズムを組み込んだことを特徴とするプリズム付きレンズ当て。
【請求項５】
請求項１ないし４のいずれかに記載のプリズム付きレンズ当てにおいて、プリズムの基底方向を特定するための目印をレンズ当てに表示したことを特徴とするプリズム付きレンズ当て。
【請求項６】
請求項１ないし５のいずれかに記載のプリズム付きレンズ当てを使用してレンズの屈折力を測定できるようにしたことを特徴とするレンズメータ。
【請求項７】
請求項１ないし５のいずれかに記載のプリズム付きレンズ当てのプリズム基底方向を、被検レンズの屈折力測定位置におけるプリズムの基底方向と逆向きに合わせることを特徴とする屈折度数の測定方法。
【請求項８】
請求項７記載の測定方法において、レンズメータのプリズムコンペンセータにより測定用ターゲットの位置を微調整することを特徴とする屈折度数の測定方法。
【発明の詳細な説明】
【０００１】
【発明の属する技術分野】
本発明は、主として眼鏡レンズやコンタクトレンズ等のレンズの屈折度数を測定するために用いるレンズメータのレンズ当てに関するものである。
【０００２】
【従来の技術】
レンズの屈折度数を測定するためのレンズメータに関する発明は多々紹介されている。その中で、強度のプリズム屈折力を有するレンズを測定するための方法としては、ＪＩＳ　Ｂ　７１８３（非特許文献１参照）に規定されているように、プリズムコンペンセータを用いて強度プリズムを相殺する方法が知られている。プリズムコンペンセータについては詳しい資料は無いものの、複数のプリズムや反射鏡を組み合わせてプリズム量を連続的に変化させることを可能にし、さらに測定される屈折度数に影響が及ばない設計がされている（例えば特許文献１、特許文献２参照）。
【０００３】
【特許文献１】
特開平５−１４９８２７号広報（第２図）
【特許文献２】
実用新案第２５７２２０７号広報（第２図）
【非特許文献１】
「ＪＩＳ　Ｂ　７１８３：１９９５　レンズメータ」、日本規格協会、ｐ．２、４．３．２　測定範囲
【０００４】
【発明が解決しようとする課題】
プリズムコンペンセータは構造が複雑でコストが掛かるため、レンズメータ自体が高価格となる。このため、多くの眼鏡店が有する低価格のレンズメータにはプリズムコンペンセータが付いていない。また、最近主流になりつつあるディジタル表示式レンズメータの中には、その測定原理の違いによって、プリズムコンペンセータの使用が不可能なものもある。
【０００５】
さらに、プリズムコンペンセータ付きの高価格なレンズメータであっても、プリズムコンペンセータで相殺できるプリズム量は±２０ｃｍ／ｍ程度である。ところが、屈折力補正用累進屈折力レンズで近用部の屈折度数を測定しようとすると、２０〜４０ｃｍ／ｍ程度のプリズムが付くものもあり、一般のプリズムコンペンセータで相殺できる範囲を超えてしまう。これを測定可能にするためには、特殊なプリズムコンペンセータを用いれば良いのだが、用途が限定されるために非常に高価なレンズメータになってしまい実用的でない。また、４０ｃｍ／ｍものプリズムをプリズムコンペンセータだけで相殺するには、光学的に不可能な場合も生じる。
【０００６】
本発明の目的は、強度のプリズムを有するレンズの屈折度数を測定可能にする、安価な測定手段を提供するものである。
【０００７】
【課題を解決するための手段】
上記目的を達成するために、本発明のプリズム付きレンズ当ては次のような構成を有する。
（１）レンズメータのレンズ当て内にプリズムを組み込んだことを特徴とする。
（２）（１）のレンズ当て内のプリズムはレンズ当ての開口部上端から突出しないように設置されたことを特徴とする。
（３）（１）または（２）のレンズ当て内のプリズムは５ｃｍ／ｍ以上２０ｃｍ／ｍ以下のプリズム屈折力を有することを特徴とするプリズム付きレンズ当て。
（４）（１）ないし（３）において、アッベ数４０以下の光学材料を用いたプリズムを組み込んだことを特徴とする。
（５）（１）ないし（４）において、プリズムの基底方向を特定するための目印をレンズ当てに表示したことを特徴とする。
また、本発明のレンズメータは（１）ないし（５）のプリズム付きレンズ当てを使用してレンズの屈折力を測定できるようにしたことを特徴とする。
さらに、本発明のプリズム付きレンズ当てを使用して屈折度数を測定方法は、プリズム付きレンズ当てのプリズム基底方向を、被検レンズの屈折力測定位置におけるプリズムの基底方向と逆向きに合わせることを特徴とする。
また、上記測定方法において、レンズメータのプリズムコンペンセータにより測定用ターゲットの位置を微調整することを特徴とする。
【０００８】
【発明の実施の形態】
図１は本発明のプリズム付きレンズ当ての実施例を示す。図中の１０はレンズ当てであり、測定に使用するレンズメータの光学特性に合ったものを用いる。１１はプリズムであり、レンズ当て１０の開口部の内径に合わせて成形してある。
このプリズムは２０ｃｍ／ｍのプリズム屈折力を有するように作成した。また、本実施例ではアッベ数３２のプラスチック製プリズムを使用した。これは、高屈折率材料を用いた累進屈折力レンズは、アッベ数が低いために近用部の屈折度数測定時に色収差が発生するが、それと同等のアッベ数を有するプリズムを用いると、プリズム自体を相殺すると同時に色収差も相殺することになり、より精度の良い屈折度数測定が可能になるためである。
【０００９】
図２はプリズムをレンズ当てに組み込んだ状態の断面図を示す。図中の記号は前述したものと同じである。本実施例では、プリズム１１の上面をレンズ当て１０の開口部上端と一致するように組み込んだ。このようにレンズ当て上端ぎりぎりに設置することにより、測定光がプリズム１１によって屈折させられても、レンズ当ての開口部によるけられが生じないという利点がある。レンズ当て１０の外面部には、組み込まれたプリズム１１の基底方向が判るように印をした。
【００１０】
図３及び図４は本発明のプリズム付きレンズ当てを使用して、累進屈折力レンズの近用部屈折度数を測定する概念図である。一般的に、累進屈折力の近用度数を測定するのは加入屈折力を求めるのが目的である。ＩＳＯやＪＩＳなどの公的規格では、加入屈折力を求める時は加入屈折力が付与された面をレンズ当てに当てて測定するように規定されている。図３は累進屈折面（加入屈折力が付与されている面）がレンズ凸面側に有る場合で、レンズ凸面側をレンズ当てに当てて近用部度数測定位置で屈折度数を測定している。図４は累進屈折面がレンズ凹面側に有る場合で、レンズ凹面側をレンズ当てに当てて近用部度数測定位置で屈折度数を測定している。図３の場合でも図４の場合でも近用度数測定位置でのプリズム基底がレンズ外周部方向を向いている。このプリズムを相殺するためにレンズ当て内のプリズムは、レンズの中心方向に基底が向くように設置している。レンズがプラス度数を持つような場合では、近用部度数測定位置のプリズムはレンズ中心方向に基底が向くので、プリズム付きレンズ当てはプリズム基底がレンズ外周方向を向くように設置する。
【００１１】
プリズム付きレンズ当ては安価であるので、プリズム１１は例えば５ｃｍ／ｍや１０ｃｍ／ｍ、１５ｃｍ／ｍなど数種類用意しておき、測定するレンズに合わせて選択が可能である。特に、市販のレンズメータでは、５ｃｍ／ｍ程度のズレでも測定用ターゲットを表示面に表示できるので、プリズム付きレンズ当ても５ｃｍ／ｍおきくらいに用意しておけば、ほとのどのレンズに対応可能である。また、使用するレンズメータがプリズムコンペンセータ付きの場合には、本発明のプリズム付きレンズ当てで相殺できない分のプリズムや、逆に過度に相殺しすぎてしまった分のプリズムを、プリズムコンペンセータで補正することにより、測定用ターゲットをレンズメータの測定面の中央に移動することができ、より正確な屈折度数測定が可能となる。
【００１２】
【発明の効果】
本発明によれば、市販のレンズメータでは測定不可能な強度プリズム付きレンズのプリズムを相殺して屈折度数を測定することが可能になる。レンズ当てやプリズムは安価に作成することができるため、眼鏡店や眼科医などに安価で提供することができ、処方とことなるレンズで眼鏡を作るというミスが未然に防げるようになる。
【図面の簡単な説明】
【図１】本発明のプリズム付きレンズ当ての構成概念図。
【図２】本発明のプリズム付きレンズ当ての断面図。
【図３】本発明のプリズム付きレンズ当てを使用した測定方法の概念図。
【図４】本発明のプリズム付きレンズ当てを使用した測定方法の概念図。
【符号の説明】
１０・・・レンズ当て
１１・・・プリズム
１２・・・被検レンズ
【図１】
2004117164.tif 000003
【図２】
2004117164.tif 000004
【図３】
2004117164.tif 000005
【図４】
2004117164.tif 000006